(57)【要約】      （修正有）【課題】別部材を追加することなく簡易な構成によってプレート式熱交換器の固定を実現することが可能な構造を提供する。【解決手段】プレート式熱交換器は、複数の伝熱プレート２が厚み方向に積層され、かつ複数の伝熱プレートの相互間に、熱交換対象流体の流路が形成されている伝熱プレート積層体１と、伝熱プレート積層体の外周囲の全体または一部を囲むように取付けられて伝熱プレート積層体を締め付ける少なくとも１つのファスナ４と、を備えており、ファスナ４の両端部には、内方に折り曲げられて伝熱プレート積層体１を締め付ける内曲げ部と、外方に折り曲げられてプレート式熱交換器を固定するためのフランジ部７が設けられている。【選択図】図１
0003224336.tif 000002
【実用新案登録請求の範囲】
【請求項１】
複数の伝熱プレートが積層され、かつ前記複数の伝熱プレートの相互間に、熱交換対象流体の流路が形成されている伝熱プレート積層体と、
この伝熱プレート積層体の外周囲の全体または一部を囲むように取付けられて前記伝熱プレート積層体を締め付ける少なくとも１つのファスナと、を備えている、プレート式熱交換器であって、
前記ファスナは略門型状に屈曲した帯状体で、その両端部には、内方に折り曲げられて前記伝熱プレート積層体を締め付ける内曲げ部と、外方に折り曲げられてプレート式熱交換器を固定するためのフランジ部が設けられていることを特徴とする、プレート式熱交換器。
【請求項２】
請求項１に記載のプレート式熱交換器であって、
前記内曲げ部は、前記フランジ部の一部を切り欠いて構成されるとともに、切り欠いたことによって前記フランジ部に生じた開口部を固定用のビス穴として利用することを特徴とするプレート式熱交換器。
【考案の詳細な説明】
【技術分野】
【０００１】
本考案は、複数の伝熱プレートをこれらの厚み方向に積層して構成されたプレート式熱交換器に関する。
【背景技術】
【０００２】
プレート式熱交換器の具体例として、特許文献１に記載のものがある。
同文献に記載のプレート式熱交換器は、複数の伝熱プレートがこれらの厚み方向に積層された伝熱プレート積層体を備えている。複数の伝熱プレートの相互間には、熱交換対象流体を流通させるための流路が形成されており、最外層には伝熱プレートとは外形を異ならせた補強プレートを備え、補強プレートの伝熱プレートよりも外側の領域には、取付け穴あるいは取付けねじを設けて対象器具に取り付ける構成となっている。
【０００３】
このようなプレート式熱交換器においては、取り付け用に別部品となる補強プレートを必要とする。
【０００４】
また、特許文献２に記載のプレート式熱交換器では、伝熱プレート積層体の周囲が、ファスナ（クランプ材、締め付け具、留め具）によって囲まれており、複数の伝熱プレートの締め付けがなされている。このような構成によれば、複数の伝熱プレートを互いに密接させ、またそれらの位置ずれも防止することが可能である。
【０００５】
しかしながら、特許文献２に記載のプレート式熱交換器でも、対象器具に取り付けるための固定用部材を別部材として用意する必要があるという問題点を有していた。
【先行技術文献】
【特許文献】
【０００６】
【特許文献１】特開２００４−１２５１８９号公報
【特許文献２】登録実用新案第３２２２５４６号公報
【考案の概要】
【考案が解決しようとする課題】
【０００７】
本考案は、前記したような事情のもとで考え出されたものであり、別部材を追加することなく簡易な構成によってプレート式熱交換器の固定を実現することが可能な構造を提供することを、その課題としている。
【課題を解決するための手段】
【０００８】
上記の課題を解決するため、本考案では、次の技術的手段を講じている。
【０００９】
本考案により提供されるプレート式熱交換器は、複数の伝熱プレートが積層され、かつ複数の伝熱プレートの相互間に、熱交換対象流体の流路が形成されている伝熱プレート積層体と、この伝熱プレート積層体の外周囲の全体または一部を囲むように取付けられて伝熱プレート積層体を締め付ける少なくとも１つのファスナとを備え、このファスナは略門型状に屈曲した帯状体で、その両端部には、内方に折り曲げられて伝熱プレート積層体を締め付ける内曲げ部と、外方に折り曲げられてプレート式熱交換器を固定するためのフランジ部が設けられている。
【００１０】
このような構成によれば、次のような効果が得られる。
すなわち、ファスナの両端部に設けられた内曲げ部によって伝熱プレート積層体を締め付けるとともに、外方に折り曲げられたフランジ部を対象器具に対する固定部として利用することによって、別部材を追加することなく簡易な構成でプレート式熱交換器の固定を実現することが可能となる。
【００１１】
本考案において、好ましくは、 内曲げ部は、フランジ部の一部を切り欠いて構成されるとともに、切り欠いたことによってフランジ部に生じた開口部を固定用のビス穴とする。
【００１２】
このような構成によれば、内曲げ部の加工に伴って生じる開口部を固定用のビス穴として利用できるため、固定用のビス穴を別途設ける必要はない。
【図面の簡単な説明】
【００１３】
【図１】本考案に係るプレート式熱交換器の一例を示す斜視図である。
【図２】図１に示すファスナの斜視図である。
【図３】図２のIII−III断面図である。
【考案を実施するための形態】
【００１４】
以下、本考案の好ましい実施の形態について、図面を参照して具体的に説明する。
【００１５】
図１に示すプレート式熱交換器は、伝熱プレート積層体１と、一対のファスナ４とを備えている。
伝熱プレート積層体１は、平面視略矩形状の複数の伝熱プレート２がそれらの厚み方向（図面では、上下高さ方向）に積層され、かつ互いにロウ付けされたものである。ただし、ロウ付け部の図示は省略している。本実施形態の伝熱プレート積層体１においては、複数の伝熱プレート２を上下方向において挟む上側および下側の非伝熱プレートとしての端板は用いられておらず、伝熱プレート２Ａが伝熱プレート積層体１の最上層に位置している。この最上層の伝熱プレート２Ａには複数の配管接続用の管体接続部が取付けられている。
【００１６】
複数の伝熱プレート２としては、前記した最上層の伝熱プレート２Ａの他に、最下層の伝熱プレート２Ｂ、およびこれらの間に挟まれている複数の伝熱プレート２がある。最上層および最下層の伝熱プレート２Ａ，２Ｂは、中間層の伝熱プレート２よりも厚肉である。
【００１７】
伝熱プレート積層体１における２種類の流体（第１および第２の流体）の熱交換を行なうための構造は、従来既知のものと同様であり、この点については、以下簡単に説明する。すなわち、各伝熱プレート２は、波板状の凹凸状領域１１および流体通過用の複数の貫通孔が設けられたプレート本体部１２（ただし、最下層の伝熱プレート２Ｂには、貫通孔は設けられていない）と、プレート本体部１２の外周縁から下向きに突出した下広がり状の周壁部１５とを備えている。複数の伝熱プレート２の相互間には、前記第１および第２の流体がそれぞれ流通する第１および第２の流路が形成されている。このような構成に基づき、前記第１および第２の流体の相互間における熱交換が可能である。
【００１８】
各ファスナ４は、伝熱プレート積層体１の締め付けを図るための部材であり、複数の伝熱プレート２をロウ付けする前において、複数の伝熱プレート２の不当な位置ずれや隙間の発生を防止する上でとくに役立つ。このファスナ４は、たとえばステンレスなどの金属製であって、略門型状に屈曲した帯状である。
【００１９】
図２によく表れているように、各ファスナ４は、上側帯状部１０、左右一対のサイド帯状部１３、各サイド帯状部１３に設けられた曲げ部１６、上側帯状部１０に設けられた２つの係合用凸部６、および補強用リブ５を備えている。
【００２０】
図１において、上側帯状部１０は、最上層の伝熱プレート２Ａの上面部に当接してこの伝熱プレート２の短手方向に延びる部分である。左右一対のサイド帯状部１３は、上側帯状部１０の両端部から下向きに延びており、伝熱プレート積層体１の左右両側面部に当接し、かつ伝熱プレート積層体１をその左右両側から挟んでおり、両端部は外方に折り曲げられたフランジ部７と、フランジ部７の一部を切り欠いて構成され内方上向きに折り曲げられた内曲げ部９を備えている（図２および図３も参照）。この内曲げ部９とサイド帯状部１３の下部との両者により、最下層の伝熱プレート２Ｂの周壁部の下端部を挟んでいる。
【００２１】
各ファスナ４は、上記のような構成を備えていることにより、複数の伝熱プレート２を囲み、かつ上下方向および左右幅方向において締め付けている。図１に示すように、２つのファスナ４は、伝熱プレート積層体１の長手方向に間隔を隔てた配置に取付けられている。
【００２２】
図１および図３において、ファスナ４の２つの係合用凸部６は、上側帯状部１０に設けられた下向き凸状の部位であり、最上層の伝熱プレート２Ａの凹凸状領域１１の凹部に進入して係合している。この凹部に異なる配置の２つの係合用凸部６が係合した状態においては、各ファスナ４が前記長手方向および短手方向のいずれの方向にも位置ずれし難い状態となる。
【００２３】
フランジ部７の一部を切り欠いて構成された内曲げ部９を内方上向きに折り曲げることにより、フランジ部７には開口部８が生じることになり、この開口部８をビス穴として利用することにより、別部材を追加することなく対象器具に対してプレート式熱交換器を固定することが可能になる。
【００２４】
プレート式熱交換器の製造に際しては、複数の伝熱プレート２の相互間に、ロウ材が介装される。ロウ材は、たとえば各伝熱プレート２に近い外形およびサイズのプレート状である。このロウ材は、加熱炉を利用したロウ付け用の加熱処理時に溶融する。この溶融ロウ材は、複数の伝熱プレート２の相互間の微小隙間に入り込み、それらを接合することによって伝熱プレート積層体１を構成するとともに、ファスナ４も、溶融ロウ材によって伝熱プレート積層体１に接合されることになる。
【００２５】
したがって、ファスナ4の両端部に設けられたフランジ部７は、伝熱プレート積層体１と強固に接合された状態で有り、このフランジ部７を対象器具に対して固定することによってプレート式熱交換器の取付を容易に実現することができる。
【００２６】
本考案は、上述した実施形態の内容に限定されない。本考案に係るプレート式熱交換器の各部の具体的な構成は、本考案の意図する範囲内において種々に設計変更自在である。
【００２７】
上述の実施形態においては、フランジ部７の内側の一部を切り欠いて内曲げ部９を構成しているが、フランジ部７の外側を切り欠いて内曲げ部９を構成しても良い。この場合、ビス穴としての開口部８は別途穴加工を施す必要がある。
【符号の説明】
【００２８】
１  伝熱プレート積層体
２  伝熱プレート
２Ａ、２Ｂ  最上層の伝熱プレート、最下層の伝熱プレート
４  ファスナ
５  補強用リブ
６  係合用凸部
７  フランジ部
８  開口部
９  内曲げ部
１０  上側帯状部
１１  凹凸状領域
１２  プレート本体部
１３  サイド帯状部
１５  周壁部
１６  曲げ部
【図１】
0003224336.tif 000003
【図２】
0003224336.tif 000004
【図３】
0003224336.tif 000005